(57)【要約】【課題】  薄型に小型に形成でき、例えば、薄型の商品や小型の商品等に取り付けた場合でも嵩張らず、それだけ商品の展示等に支障がなく、商品消費者等による品定め等においても違和感、煩雑感が抑制される商品盗難検出器及びこれを採用した、例えば薄型の商品や小型の商品等の盗難監視にも適する商品盗難監視装置を提供する。【解決手段】  スイッチケース２１と、フォトスイッチ２２と、光反射フィルム部材２３と、ケース貼着フィルム部材２４とを含む商品盗難検出器２。光反射フィルム部材２３は商品ｗ１等に貼着され、スイッチケース２１は該フィルム部材２３を囲むケース貼着フィルム部材２４にて商品に貼着される。光反射フィルム部材２３はフォトスイッチ２２の発光ダイオード２２１からの光Ｌ１をスイッチケース通光孔２１０を介して反射光Ｌ２としてフォトトランジスタ２２２に入射し、これを導通させる。商品盗難監視装置はかかる検出器２とそれが接続される警報装置１とを含む。【選択図】  図１
2005071084.tif 000002
【特許請求の範囲】
【請求項１】
スイッチケースと、
発光素子及び受光素子を含み、該スイッチケースに収容された商品盗難検出用フォトスイッチとを備えており、
前記スイッチケースは通光孔を有しており、
前記フォトスイッチは、前記発光素子からの光が前記通光孔に向け出射されるとともに該通光孔からの入射光が前記受光素子で検出されるように前記スイッチケースに収容されており、該受光素子が該入射光を検出することで商品盗難に関して異常無しを示す信号を出力でき、該受光素子が該入射光を検出しないことで商品盗難に関して異常有りを示す信号を出力できることを特徴とする商品盗難検出器。
【請求項２】
スイッチケースと、
発光素子及び受光素子を含み、該スイッチケースに収容された商品盗難検出用フォトスイッチと、
盗難監視対象商品に貼着可能の光反射フィルム部材と、
前記スイッチケースを該商品に貼着するケース貼着フィルム部材とを含み、
前記スイッチケースは通光孔を有しており、
前記フォトスイッチは、前記発光素子からの光が前記通光孔に向け出射されるとともに該通光孔からの入射光が前記受光素子で検出されるように前記スイッチケースに収容されており、該受光素子が該入射光を検出することで商品盗難に関して異常無しを示す信号を出力でき、該受光素子が該入射光を検出しないことで商品盗難に関して異常有りを示す信号を出力でき
前記光反射フィルム部材は、該部材に前記スイッチケース通光孔が臨設されることで前記発光素子からの光を反射して前記受光素子へ入射させることができ、
前記ケース貼着フィルム部材は、前記光反射フィルム部材を前記商品に貼着して該光反射フィルム部材に前記スイッチケースの通光孔を臨ませた状態で該光反射フィルム部材を囲んでしまうとともに該スイッチケースを該商品に貼着できることを特徴とする商品盗難検出器。
【請求項３】
前記発光素子、受光素子及び光反射フィルム部材は、前記スイッチケース通光孔が該光反射フィルム部材から１ｍｍより大きく浮き離れると、該受光素子が前記商品盗難に関して異常有りを示す信号を出力できるように選択して設けられている請求項２記載の商品盗難検出器。
【請求項４】
請求項１、２又は３記載の商品盗難検出器を少なくとも一つと、該商品盗難検出器が通電コードを介して接続される警報装置とを有し、該警報装置は、少なくとも一つの商品盗難検出器が商品盗難に関して異常有りを示す信号を出力する、前記通電コードに断線が生じる、該通電コードが前記警報装置から外される、のうちいずれかの事態が発生すると警報を発することを特徴とする商品盗難監視装置。
【発明の詳細な説明】
【技術分野】
【０００１】
本発明は、商品が万引き等されるのを防止、抑止するための商品盗難検出器及びこれを採用した商品盗難監視装置に関する。
【背景技術】
【０００２】
店頭に展示などされる商品が万引き等されるのを防止、抑止するための商品盗難監視装置等についてはこれまで様々のものが提案されてきた。例えば、特開２００３−３０７５７号公報や特開２００３−７７０７３号公報は、商品に取付けられる商品盗難検出器を通電コードにて警報装置に接続する商品盗難監視装置を開示している。
【０００３】
いずれの公報が開示する監視装置においても、かかる盗難検出器として検出用スイッチを含むものを採用している。そして該スイッチとしてスイッチ接点を開閉するための可動子を有し、該可動子に対する押圧と押圧解除とによりスイッチ接点が開閉されるものを採用している。
【０００４】
かかる盗難検出器を監視対象商品に取り付けるにあたっては、該スイッチの可動子をスイッチ本体側へ押し込んでスイッチ接点を閉じた状態で監視対象商品に接着剤、ネジ機構（カメラ等の商品における雌ネジ利用のもの）等により固定し、商品に取り付けたそれら検出器のうち少なくとも一つにおいてスイッチ接点が開いたり、該検出器を警報装置へ接続しているコードが切断されたりすると、警報装置において警報を発するようにしている。
【０００５】
【特許文献１】特開２００３−３０７５７号公報
【特許文献２】特開２００３−７７０７３号公報
【発明の開示】
【発明が解決しようとする課題】
【０００６】
しかしながら、かかる従来の商品盗難監視装置は、その商品盗難検出器が機械的にスイッチ接点が開閉される検出用スイッチを含むものであるため該検出器部分が嵩張るものであった。そのため、盗難監視対象商品が、例えば、電子辞書等の薄型の商品であったり、携帯電話、小型カメラ等の小型の商品であるときには、それら商品に該検出器を取り付けて店頭等で展示するとき、該検出器が邪魔になって商品展示を所望どおり行い難かったり、客が商品を手にとって品定め等するときに違和感や煩雑感を与えがちであった。
【０００７】
そこで本発明は、商品に取り付けて用いる商品盗難検出器であって、薄型に小型に形成でき、例えば、薄型の商品や小型の商品等に取り付けた場合でも嵩張らず、それだけ商品の展示等に支障がなく、商品消費者等による品定め等においても違和感、煩雑感が抑制される商品盗難検出器を提供することを課題とする。
【０００８】
また本発明は、各種商品の盗難監視に用いることができ、たとえ薄型の商品や小型の商品等の盗難監視に採用しても、それら商品の展示等に特に問題視すべき支障が生じることがなく、また、消費者等による商品の品定め等においても特別問題視すべき違和感、煩雑感を与えることがない商品盗難監視装置を提供することを課題とする。
【課題を解決するための手段】
【０００９】
本発明は前記課題を解決するため次の第１、第２の商品盗難検出器及び商品盗難監視装置を提供する。
（１）第１、第２の商品盗難検出器
(1-1) 第１の商品盗難検出器
スイッチケースと、
発光素子及び受光素子を含み、該スイッチケースに収容された商品盗難検出用フォトスイッチとを備えており、
前記スイッチケースは通光孔を有しており、
前記フォトスイッチは、前記発光素子からの光が前記通光孔に向け出射されるとともに該通光孔からの入射光が前記受光素子で検出されるように前記スイッチケースに収容されており、該受光素子が該入射光を検出することで商品盗難に関して異常無しを示す信号を出力でき、該受光素子が該入射光を検出しないことで商品盗難に関して異常有りを示す信号を出力できる商品盗難検出器。
【００１０】
(1-2) 第２の商品盗難検出器
スイッチケースと、
発光素子及び受光素子を含み、該スイッチケースに収容された商品盗難検出用フォトスイッチと、
盗難監視対象商品に貼着可能の光反射フィルム部材と、
前記スイッチケースを該商品に貼着するケース貼着フィルム部材とを含み、
前記スイッチケースは通光孔を有しており、
前記フォトスイッチは、前記発光素子からの光が前記通光孔に向け出射されるとともに該通光孔からの入射光が前記受光素子で検出されるように前記スイッチケースに収容されており、該受光素子が該入射光を検出することで商品盗難に関して異常無しを示す信号を出力でき、該受光素子が該入射光を検出しないことで商品盗難に関して異常有りを示す信号を出力でき
前記光反射フィルム部材は、該部材に前記スイッチケース通光孔が臨設されることで前記発光素子からの光を反射して前記受光素子へ入射させることができ、
前記ケース貼着フィルム部材は、前記光反射フィルム部材を前記商品に貼着して該光反射フィルム部材に前記スイッチケースの通光孔を臨ませた状態で該光反射フィルム部材を囲んでしまうとともに該スイッチケースを該商品に貼着できる商品盗難検出器。
【００１１】
第１、第２のいずれの検出器も盗難監視対象商品に取り付けて用いる。
第１の商品盗難検出器は、例えば、盗難監視対象商品の光反射面部分を選び、或いは商品に予め光反射面部分を形成し、かかる光反射面部分にスイッチケース通光孔を臨ませた状態でスイッチケースを該商品に取り付けて用いる。
【００１２】
第２の商品盗難検出器は、光反射フィルム部材を盗難監視対象商品に貼着するとともに該光反射フィルム部材にスイッチケース通光孔を臨ませた状態でスイッチケースをケース貼着フィルム部材にて該商品に取り付けて用いる。このとき、商品に貼着された光反射フィルム部材はケース貼着フィルム部材で囲まれてしまい、スイッチケースを商品から外すとか、ケース貼着フィルム部材を剥がす等しなければ接触できない。
【００１３】
第１、第２のいずれの検出器においても、商品盗難監視下では、商品に取り付けられたスイッチケース内のフォトスイッチにおける発光素子が発光状態とされるとともに受光素子が光検出可能状態とされる。
【００１４】
そして、第１の検出器の場合は、それが商品に正常に取り付けられている場合は、発光素子からの光がケース通光孔を介して商品の光反射面部分に反射されて受光素子に入射する。受光素子が該入射光を検出することで商品盗難に関して異常無しを示す信号が出力される。
【００１５】
商品を万引きしようとする者など、許可されない人物によりスイッチケースが商品から剥がされる等してスイッチケース通光孔が商品の光反射面部分から離れると、発光素子からの光は該光反射面部分で反射されなくなって受光素子に入射されなくなったり、反射して受光素子へ入射されたとしても入射光が弱すぎて受光素子がこれを検出できなかったりし、このように受光素子が発光素子に起因する光を検出しない状態では、商品盗難に関する異常信号が出力される。
【００１６】
第２の検出器の場合は、それが商品に正常に取り付けられている場合は、発光素子からの光がケース通光孔を介して、商品に貼着された光反射フィルム部材に反射されて受光素子に入射する。受光素子が該入射光を検出することで商品盗難に関して異常無しを示す信号が出力される。
【００１７】
商品を万引きしようとする者など、許可されない人物によりスイッチケースが商品から剥がされる、ケース貼着フィルム部材がスイッチケースごと商品から剥がされる等すると、光反射フィルム部材はなお商品に貼着された状態に残され、かくしてスイッチケース通光孔が光反射フィルム部材から浮き離れる結果となり、そのため、発光素子からの光は該光反射フィルム部材で反射されなくなって受光素子に入射されなくなったり、反射して受光素子へ入射されたとしても入射光が弱すぎて受光素子がこれを検出できなくなったりし、このように受光素子が発光素子に起因する光を検出しない状態では、商品盗難に関して異常有りを示す信号が出力される。
【００１８】
第２の検出器では発光素子からの光を受光素子で検出するにあたり、光反射手段として、商品や商品の部分等における光反射能にムラのある光反射面部分を用いるのではなく、予め発光素子及び受光素子の発光強度や受光感度などに応じて選択決定される光反射能の安定した光反射フィルム部材を採用できるので、それだけ、商品盗難検出器が商品に正常に取り付けられた状態にあるか、盗人等により外されたり、外されようとする異常な状態にあるかを精度よく検出できる。
【００１９】
第１、第２のいずれの商品盗難検出器においても、発光素子及び受光素子を含むフォトスイッチは従来の機械的なスイッチに比べると薄型、小型に形成でき、従ってこれを収容するスイッチケースもそれだけ薄型、小型に形成して検出器全体を薄型、小型にできる。  かかる発光素子の代表例として発光ダイオードを挙げることができ、受光素子の代表例として光電変換素子を挙げることができ、かかる光電変換素子としてフォトトランジスタを例示できる。
【００２０】
いずれにしても、商品盗難監視を一層確実に行えるようにするために、第２の商品盗難検出器については、発光素子、受光素子及び光反射フィルム部材は、前記スイッチケース通光孔（特にその外側開口端）が該光反射フィルム部材から１ｍｍより大きく浮き離れると、該受光素子が発光素子からの光を検出できなくなって、前記商品盗難に関して異常有りを示す信号が出力されるように選択して設けてもよい。該１ｍｍは市販のカッターナイフの厚みと略同じであり、カッターナイフをスイッチケースと商品との間に差し込んでスイッチケースを商品に未だ貼着されているケース貼着フィルム部材から又はケース貼着フィルム部材ごと商品から外そうとする行為に対抗しようとする値である。
【００２１】
（２）商品盗難監視装置
以上説明した商品盗難検出器は、盗難監視対象商品に取り付けるとともに警報装置に接続して商品盗難監視に利用できる。すなわち、商品を万引きしようとする者など、許可されない人物により該検出器が商品から剥がされる等すると、該検出器のフォトスイッチからの商品盗難に関して異常ありを示す信号に基づいて警報装置が警報を発するようにして用いることができる。
【００２２】
本発明は、かかる商品盗難監視装置として、以上説明した明したいずれかの盗難検出器を少なくとも一つと、該商品盗難検出器が通電コードを介して接続される警報装置とを有し、該警報装置は、少なくとも一つの商品盗難検出器が商品盗難に関して異常有りを示す信号を出力する、前記通電コードに断線が生じる、該通電コードが前記警報装置から外される、のうちいずれかの事態が発生すると警報を発する商品盗難監視装置も提供する。
【発明の効果】
【００２３】
以上説明したように本発明によると、商品に取り付けて用いる商品盗難検出器であって、薄型に小型に形成でき、従って例えば、薄型の商品や小型の商品等に取り付けた場合でも嵩張らず、それだけ商品の展示等に支障がなく、商品消費者等による品定め等においても違和感、煩雑感が抑制される商品盗難検出器を提供することができる。
【００２４】
また本発明によると、かかる薄型、小型に形成できる商品盗難検出器を採用することで、各種商品の盗難監視に用いることができることは勿論のこと、たとえ薄型の商品や小型の商品等の盗難監視に採用しても、それら商品の展示等に特に問題視すべき支障が生じることがなく、また、消費者等による商品の品定め等においても特別問題視すべき違和感、煩雑感を与えることがない商品盗難監視装置を提供することができる。
【発明を実施するための最良の形態】
【００２５】
以下、図面を参照して本発明の実施形態について説明する。
図１は１実施形態に係る商品盗難監視装置の概略構成を示すブロック図である。図２は該監視装置における商品盗難検出器の断面図であり、盗難監視対象商品に取り付けた状態で示している。図３はフォトスイッチの回路構成を示している。
【００２６】
図１の商品盗難監視装置は、警報装置１の部分と複数の商品盗難検出器２とを含んでいる。警報装置１は警報時に音及び（又は）光を発する警報器１１及びこれの動作を制御する制御部１２を含んでいる。制御部１２はマイクロコンピュータ相当部分等を有するものである。また、制御部１２には装置をリセットするリセットスイッチＳＷも設けられている。
【００２７】
各検出器２は図２に示すように、スイッチケース２１と、該スイッチケース２１に収容された反射型フォトスイッチ２２と、光反射フィルム部材２３と、ケース貼着フィルム部材２４を含んでいる。
【００２８】
スイッチケース２１はケース本体２１１とこれを封止するケース底蓋２１２とからなっており、フォトスイッチ２２は発光素子２２１と受光素子２２２とからなっている。発光素子２２１は、それには限定されないが、ここでは発光ダイオードであり、受光素子２２２は、それには限定されないが、ここでは光照射により導通するフォトトランジスタである。
【００２９】
発光ダイオード２２１及びフォトトランジスタ２２２はスイッチケース本体２２１に収容保持され、ケース底蓋２１２が被着されることでケース２１内に封入されている。発光ダイオード２２１及びフォトトランジスタ２２２を含むフォトスイッチ２２は小型のものが採用されている。かかるフォトスイッチ２２を収容したスイッチケース２１は外径Ｄが８．５ｍｍ、厚さｔが３．６ｍｍであり、薄型に且つ小型に形成されている。
【００３０】
ケース底蓋２１２には中央部に通光孔２１０が形成されており、発光ダイオード２２１から発せられた光はこの通光孔２１０へ向け照射される。一方、通光孔２１０からの入射光がフォトトランジスタ２２２に照射される。
【００３１】
光反射フィルム部材２３は、それには限定されないがここでは円形のもので、ケース通光孔２１０を覆える大きさを有しており、該通光孔に向けられるべき一面は鏡面仕上げの銀メッキ面２３１とされている。他面には感圧性接着剤２３２が塗布され、使用前は剥離可能のカバー紙（離型紙）（図示省略）に覆われている。
【００３２】
ケース貼着フィルム部材２４も円形のもので、中央部に光反射フィルム部材２３を嵌め入れることができる大きさの開口部２４０を備えており、一面が接着剤２４１にて予めスイッチケース２１の底蓋２１２の下面に接着されている。他面には感圧性接着剤２４２が塗布されており、これは使用前は剥離可能のカバー紙（離型紙）（図示省略）にて覆われている。
【００３３】
図２に示すように検出器２を商品（総称して「Ｗ」で示す）に取り付けた状態では、光反射フィルム部材２３は、その感圧性接着剤２３２からカバー紙が既に剥がされており、該接着剤２３２にて盗難監視対象商品Ｗに貼着されている。また、ケース貼着フィルム部材２４も、その感圧性接着剤２４２から既にカバー紙が剥がされており、該接着剤２４２にて商品Ｗに貼着されている。従って、フォトスイッチ２２を収容したスイッチケース２１が商品Ｗに貼着されている。
【００３４】
そして、検出器２をこのように商品Ｗに取り付けるときには、図２に示すように、商品に貼着した光反射フィルム部材２３にてケース通光孔２１０が塞がれるように、換言すれば、ケース通光孔２１０に光反射フィルム部材２３が張設されるかのようにし、且つ、該光反射フィルム部材２３がケース貼着フィルム部材２４の開口部２４０内に位置するように、換言すれば、該光反射フィルム部材２３が外部から触れられないようにケース貼着フィルム部材２４にて囲まれるようにする。
【００３５】
図１及び図３に示すように、各検出器２のフォトスイッチ２２には３本の線からなる通電コード２５が接続されており、該コードの反対側の端部には警報装置１へのコネクタ２５１が設けられている。各検出器２のコネクタ２５１は警報装置１における制御部１２のコネクタ１２１に着脱可能に接続される。なお、検出器２が接続されないコネクタ１２１には、商品に正常に取り付けられた検出器２が接続されているのと同じ状態をもたらす補助具２５０が接続される。
【００３６】
各検出器２は以上説明した状態で図１に例示するように、薄型又は（及び）小型の商品、例えば電子辞書ｗ１、小型カメラｗ２、ミニディスクプレーヤｗ３、ノート型パーソナルコンピュータｗ４等の盗難監視対象商品に取り付けられる。
【００３７】
盗難監視のために商品に取り付けられた各検出器２においては、フォトスイッチ２２の発光ダイオード２２１が通電されて発光し、その光Ｌ１がケース通光孔２１０の外側開口端（出口）に臨むように位置する光反射フィルム部材２３の銀メッキ面２３１にて反射されてフォトトランジスタ２２２に照射Ｌ２され、これにより該トランジスタから商品盗難に関して異常がないことを示す信号（正常信号）が制御部１２に与えられる。
【００３８】
しかし、商品を万引きしようとする者等が、例えばカッターナイフ等をスイッチケース２１と商品との間に差し込んでケース貼着フィルム部材２４からスイッチケース２１を外そうとしたり、外したり、或いは、ケース貼着フィルム部材２４をスイッチケース２１ごと商品から剥がそうとしたり、剥がしたりすると、それでも光反射フィルム部材２３は商品に貼着されたままであるから、スイッチケース２１の通光孔２１０が該光反射フィルム部材２３から浮き離れ、発光ダイオード２２１からの光が光反射フィルム部材２３にて反射されてフォトトランジスタ２２２に照射されなくなったり、たとえかかる反射光の照射があってもその光が弱くなってフォトトランジスタ２２２がそれを検出しなくなる。かくしてフォトトランジスタ２２２は発光ダイオード２２１の光を検出せず、商品盗難に関して異常有りを示す信号（フォトトランジスタに光照射による導通がないことを示すオフ信号）が警報装置１へ伝えられる。
【００３９】
また、通電コード２５が警報装置１から抜かれたり、通電コード２５が切断される等しても同様に警報装置１には商品盗難に関して異常有りを示す信号が入力される。
【００４０】
このように、いずれかの検出器２について、警報装置１に異常が知らされると、警報器１１が作動する。
警報器１１は一端作動開始すると、各検出器２を商品に正常に付けなおしたり、はずされたコード２５を警報装置１に接続しなおしたりしても、リセットスイッチＳＷでリセットしない限り停止しない。
【００４１】
なお、本例でのフォトスイッチ２２、これを収容保持したスイッチケース２１及び光反射フィルム部材２３によると、フォトスイッチ２２のフォトトランジスタ２２２は、スイッチケース２１の通光孔２１０が光反射フィルム部材の銀メッキ面２３１から１ｍｍより大きく離れると発光ダイオード２２１からの光に基づく導通がオフされるようになっている。
【００４２】
該１ｍｍは市販のカッターナイフの厚みと略同じであり、カッターナイフをスイッチケースと商品との間に差し込んでケース貼着フィルム部材を商品から又は（及び）スイッチケースから外そうとする行為に対抗しようとする値である。
【００４３】
図４は商品盗難検出器の他の例２’を示している。この検出器２’は、前記の光反射フィルム部材２３に代えて商品Ｗに予め備わっている光反射面部分ＷＲ、或いは商品に予め形成した光反射面部分ＷＲを利用するものである。検出器２’は例えば図４に示すように、スイッチケース２１の通光孔２１０をかかる光反射面部分ＷＲに臨ませて、該ケース２１を例えば前記と同様のケース貼着スィルム部材２４を用いて商品に貼着する等して商品に取り付けることができ、さらに、警報装置１に接続して用いられる。
【００４４】
このような検出器２’を採用することもできるが、異常をより精度よく検出するためには、前記のようにフォトトランジスタの感度等を考慮した専用の光反射フィルム部材を採用することが好ましいと言える。
【００４５】
次に、制御部１２、特にそのマイクロコンピュータ相当部分の中央演算処理装置の動作の概略を図５を参照して説明しておく。
プログラムがスタートすると、先ず各検出器２の発光ダイオード２２１を発光させ、フォトトランジスタ２２２を該光Ｌ１に基づく光反射スィルム部材２３からの反射による入射光Ｌ２にて導通状態に設定する（ステップＳ１）。次にスイッチケース２１が商品から外される等の異常を示す異常信号の入力の有無を判断する（Ｓ２）。異常があると警報器１１を作動させる（Ｓ３）。その後各検出器２が正常に商品に取付けられるなど、正常な状態が復元され、スイッチＳＷにてリセットが指示されると（Ｓ４）、警報器１１を停止させる（Ｓ５）。これでプログラムは一応終了するが、引き続き商品盗難監視を行うときは、ステップＳ１からの動作を繰り返す。
【産業上の利用可能性】
【００４６】
以上説明したように本発明は、各種商品の展示等において盗難を監視することに適用できる。
【図面の簡単な説明】
【００４７】
【図１】本発明の１実施形態に係る商品盗難監視装置の概略構成を示すブロック図である。
【図２】図１に示す装置における商品盗難検出器の断面図であり、商品に取り付けた状態で示している。
【図３】フォトスイッチの回路構成等を示す図である。
【図４】商品盗難検出器の他の例の断面図である。
【図５】警報装置の制御部の動作の概略を示すフローチャートである。
【符号の説明】
【００４８】
１  商品盗難監視装置
１１  警報器
１２  制御部
１２１  コネクタ
ＳＷ  リセットスイッチ
２  商品盗難検出器
２１  スイッチケース
２１１  ケース本体
２１２  ケース底蓋
２１０  通光孔
２２  フォトスイッチ
２２１  発光ダイオード
Ｌ１  発光ダイオードからの光
２２２  フォトトランジスタ
２３  光反射フィルム部材
２３１  銀メッキ面
２３２  感圧性接着剤
Ｌ２  部材２３による反射光（フォトトランジスタへの入射光）
２４  ケース貼着フィルム部材
２４０  開口部
２４１  接着剤
２４２  感圧性接着剤
２５  通電コード
２５１  コネクタ
２５０  補助具
Ｗ、ｗ１〜ｗ４  商品
ＷＲ  光反射面部
【図１】
2005071084.tif 000003
【図２】
2005071084.tif 000004
【図３】
2005071084.tif 000005
【図４】
2005071084.tif 000006
【図５】
2005071084.tif 000007